(57)【要約】【課題】生産性の向上を図ることが可能であり、相手コネクタに対するロック解除及び抜去の操作を容易に行うことが可能である。【解決手段】ハウジング１１に取り付けたシェル部材１３に、相手コネクタ２を嵌合状態に維持するロック部１４ｂとそのロック部１４ｂの係合状態を解除して相手コネクタ２を抜去可能にするロック解除部１４ｃとを一体的に設けたことによって、部品点数及び製造工程数を低減して生産性の向上を図ることが可能であるとともに、ロック解除部１４ｃに対する解除操作と、相手コネクタ２に対する抜去操作とを片手で行うことを可能とし、いわゆる片手によるワンアクションの解除・抜去操作を容易に行うことが可能な構成を採用したものである。【選択図】図２１
2019009029.tif 000002
【特許請求の範囲】
【請求項１】
相手コネクタに対して嵌合又は抜去されるものであって、
絶縁性を有するハウジングと、
前記ハウジングに取り付けられた導電性を有するシェル部材と、
前記相手コネクタの一部に係合して当該相手コネクタを嵌合方向及び抜去方向に略不動状態に維持するロック部と、
前記相手コネクタに対する前記ロック部の係合状態を、解除操作が行われた際に解除して前記相手コネクタを抜去可能にするロック解除部と、
を備えた電気コネクタにおいて、
前記ロック部及び前記ロック解除部が、前記シェル部材に一体的に設けられていることを特徴とする電気コネクタ。
【請求項２】
前記ロック部及び前記ロック解除部が、前記ハウジングの内方及び外方に向かう方向に弾性的に変位する弾性アーム状部材の一部に設けられたものであって、
前記弾性アーム状部材は、前記ロック解除部に対する解除操作によって前記ロック部を、前記ハウジングの内方に向かう方向に弾性変位させる状態に配置されていることを特徴とする請求項１記載の電気コネクタ。
【請求項３】
前記弾性アーム状部材に設けられた前記ロック解除部及び前記ロック部が、前記相手コネクタに対する嵌合方向に沿って順に配置されているとともに、
前記弾性アーム状部材における前記ロック部から前記嵌合方向に延出している部分が、前記嵌合方向に向かうに連れて前記ハウジングの内方に近づくように傾斜していることを特徴とする請求項２記載の電気コネクタ。
【請求項４】
前記シェル部材が、導体で構成され、グランド接続されることを特徴とする請求項１記載の電気コネクタ。
【請求項５】
前記ロック部及びロック解除部が、対向した状態で前記ハウジングに一対配置されたものであって、
それら一対のロック解除部同士が、前記シェル部材の一部をなすロック連結部によって一体的に繋げられていることを特徴とする請求項１記載の電気コネクタ。
【請求項６】
前記ロック連結部に、当該ロック連結部を操作するテープ状部材が繋げられていることを特徴とする請求項５記載の電気コネクタ。
【請求項７】
前記ロック部が、前記相手コネクタの一部に係合可能な貫通孔を含む凹部又は突部からなることを特徴とする請求項１記載の電気コネクタ。
【発明の詳細な説明】
【技術分野】
【０００１】
本発明は、相手コネクタに対するロック部の係合状態をロック解除部により解除する構成を備えた電気コネクタに関する。
【背景技術】
【０００２】
従来から、種々の電気機器等において、同軸ケーブル等の各種の信号伝送媒体の端末部分を連結した電気コネクタを、配線基板上に実装した相手コネクタに嵌合させることによって、配線基板上の電子回路に信号伝送媒体を電気的に接続させることが広く行われている。そして、嵌合された相手コネクタの一部にロック部を係合させることによって嵌合状態を維持する場合には、ロック解除部を操作することによってロック部の係合状態を解除した上で相手コネクタとの間の抜去が行われる。
【０００３】
このようなロック部及びロック解除部を備えた一般の電気コネクタにおいては、例えば下記の特許文献１に記載があるように、それらのロック部及びロック解除部が、シェル部材などの他の部材から独立した別部材から構成されており、当該ロック部及びロック解除部がシェル部材とは別個に取り付けられている。そのため、従来、部品点数及び製造工程が多くなる傾向となっており、その点において生産性の向上が阻害されているおそれがある。
【０００４】
また、上述したようにロック部及びロック解除部が、他の部材とは別部材で設けられていることから、ロック解除操作を行って相手コネクタとの間の抜去を行う作業者は、ロック解除部に対するロック解除操作を一方の手で行うとともに、相手コネクタに対する抜去操作を他方の手で行わねばならない。すなわち、従来の電気コネクタにおけるロック解除操作及び抜去操作は、必ず両手を使って行われており、いわゆる片手によるワンアクションの抜去操作が出来ない状態にある。
【０００５】
また、例えば電子機器等の内部における狭いスペース内で相手コネクタとの抜去を行うに際しては、上述したように狭いスペース内における両手の操作が難しい状態となることがあるが、そもそも狭いスペースの内部に両手が入らずに、抜去操作自体ができないことも考えられる。従って、このような点においても生産性を向上させるための支障を生じている。
【先行技術文献】
【特許文献】
【０００６】
【特許文献１】特開２００３−２９７４８２号公報
【発明の開示】
【発明が解決しようとする課題】
【０００７】
そこで本発明は、生産性の向上を図ることが可能であり、相手コネクタに対するロック解除及び抜去の操作を容易に行うことが可能な電気コネクタを提供することを目的とする。
【課題を解決するための手段】
【０００８】
上記目的を達成するため本発明にかかる電気コネクタでは、相手コネクタに対して嵌合又は抜去されるものであって、絶縁性を有するハウジングと、前記ハウジングに取り付けられた導電性を有するシェル部材と、前記相手コネクタの一部に係合して当該相手コネクタを嵌合方向及び抜去方向に略不動状態に維持するロック部と、前記相手コネクタに対する前記ロック部の係合状態を、解除操作が行われた際に解除して前記相手コネクタを抜去可能にするロック解除部と、を備えた電気コネクタにおいて、前記ロック部及び前記ロック解除部が、前記シェル部材に一体的に設けられた構成が採用されている。
【０００９】
このような構成によれば、従来、シェル部材とは別部材で設けられていたロック部及びロック解除部が、シェル部材と一体的に設けられるため、部品点数及び製造工程数が低減されることとなって生産性の向上を図ることが可能である。また、解除操作が行われるロック解除部がシェル部材に設けられているので、ロック解除部に対する解除操作と、相手コネクタに対する抜去操作とを片手で行うことが可能となり、いわゆる片手によるワンアクションの解除・抜去操作を容易かつ安定的に行うことが可能である。
【００１０】
また、本発明においては、前記ロック部及び前記ロック解除部が、前記ハウジングの内方及び外方に向かう方向に弾性的に変位する弾性アーム状部材の一部に設けられたものであって、前記弾性アーム状部材は、前記ロック解除部に対する解除操作によって前記ロック部を、前記ハウジングの内方に向かう方向に弾性変位させる状態に配置された構成とすることが望ましい。
【００１１】
このような構成によれば、ロック解除部の解除操作によってロック部の解除を行う際に、ロック部を含む弾性アーム状部材がハウジングの外方に向かって張り出すことがなく、電気コネクタ装置の全体が実質的に小型化される。
【００１２】
さらに、本発明においては、前記弾性アーム状部材に設けられた前記ロック解除部及び前記ロック部が、前記相手コネクタに対する嵌合方向に沿って順に配置されているとともに、前記弾性アーム状部材における前記ロック部から前記嵌合方向に延出している部分が、前記嵌合方向に向かうに連れて前記ハウジングの内方に近づくように傾斜していることが望ましい。
【００１３】
このような構成によれば、相手コネクタに対する嵌合・抜去を行う際に、弾性アーム状部材の一部が相手コネクタに引っ掛かることがなくなり、嵌合・抜去が安定的に行われる。
【００１４】
また、本発明においては、前記シェル部材が、導体で構成され、グランド接続されることが可能である。
【００１５】
さらにまた、本発明においては、前記ロック部及びロック解除部が、対向した状態で前記ハウジングに一対配置されたものであって、それら一対のロック解除部同士が、前記シェル部材の一部をなすロック連結部によって一体的に繋げられていることが望ましい。
【００１６】
このような構成によれば、シェル部材の一部をなすロック連結部に対して操作を行うことによって、対向配置された一対のロック解除部における解除操作が一連の動作で行われることとなり、ロック解除の操作性が向上される。
【００１７】
また、本発明においては、前記ロック連結部に、当該ロック連結部を操作するテープ状部材が繋げられていることが望ましい。
【００１８】
このような構成によれば、テープ状部材に対する操作を行うことによって、一対のロック解除部に対する解除操作が行われることから、ロック解除の操作性が更に向上される。
【００１９】
加えて、本発明においては、前記ロック部が、前記相手コネクタの一部に係合可能な貫通孔を含む凹部又は突部からなることが可能である。
【発明の効果】
【００２０】
以上述べたように本発明にかかる電気コネクタは、ハウジングに取り付けたシェル部材に、相手コネクタを嵌合状態に維持するロック部とそのロック部の係合状態を解除して相手コネクタを抜去可能にするロック解除部とを一体的に設けたことによって、部品点数を低減して生産性の向上を図ることが可能であるとともに、ロック解除部に対する解除操作と、相手コネクタに対する抜去操作とを片手で行うことが可能とし、いわゆる片手によるワンアクションの解除・抜去操作を容易かつ安定的に行う構成を採用したものであるから、相手コネクタに対するロック解除操作及び抜去を容易に行うことが可能である。
【図面の簡単な説明】
【００２１】
【図１】本発明の第１の実施形態にかかるプラグコネクタを正面側の上方から表した外観斜視説明図である。
【図２】図１に示されたプラグコネクタの平面説明図である。
【図３】図１及び図２に示されたプラグコネクタの正面説明図である。
【図４】図１〜図３に示されたプラグコネクタの背面説明図である。
【図５】図１〜図４に示されたプラグコネクタの側面説明図である。
【図６】図１〜図５に示されたプラグコネクタに用いられているプラグシェル部材の単体を正面上方から表した外観斜視説明図である。
【図７】図６に示されたプラグシェル部材を背面上方から表した外観斜視説明図である。
【図８】図６及び図７に示されたプラグシェル部材の平面説明図である。
【図９】図６〜図８に示されたプラグシェル部材の正面説明図である。
【図１０】図６〜図９に示されたプラグシェル部材の側面説明図である。
【図１１】図６〜図１０に示されたプラグシェル部材に対してテープ状部材を装着した状態を表した外観斜視説明図である。
【図１２】図１１に示されたテープ状部材を装着した状態におけるプラグシェル部材の側面説明図である。
【図１３】図１１及び図１２に示された状態からテープ状部材を上方に向かって引くことによってロック部の係合を解除させた状態におけるプラグシェル部材の外観斜視説明図である。
【図１４】図１３に示された解除操作を行った状態におけるプラグシェル部材の側面説明図である。
【図１５】図１〜図５に示された本発明の第１の実施形態にかかるプラグコネクタが嵌合される相手コネクタとしてのレセプタクルコネクタを正面上方から表した外観斜視説明図である。
【図１６】図１５に示されたレセプタクルコネクタの平面説明図である。
【図１７】図１５及び図１６に示されたレセプタクルコネクタの正面説明図である。
【図１８】図１５〜図１７に示されたレセプタクルコネクタの側面説明図である。
【図１９】図１〜図５に示されたプラグコネクタに細線同軸ケーブル及びテープ状部材を装着した状態で、図１５〜図１８に示されたレセプタクルコネクタに嵌合させた電気コネクタ装置を正面上方から表した外観斜視説明図である。
【図２０】図１９に示された電気コネクタ装置を背面上方から表したものであって、ロック機構が設けられた部分を断面状態とした外観斜視説明図である。
【図２１】図１〜図５に示されたプラグコネクタを、図１５〜図１８に示されたレセプタクルコネクタに嵌合させる前の状態を表した正面説明図である。
【図２２】図２１中のＸＸＩＩ−ＸＸＩＩ線に沿った拡大横断面説明図である。
【図２３】図２１中のＸＸＩＩＩ−ＸＸＩＩＩ線に沿った拡大横断面説明図である。
【図２４】図１〜図５に示されたプラグコネクタを、図１５〜図１８に示されたレセプタクルコネクタに嵌合させた後の状態を表した正面説明図である。
【図２５】図２４中のＸＸＶ−ＸＸＶ線に沿った拡大横断面説明図である。
【図２６】図２４中のＸＸＶＩ−ＸＸＶＩ線に沿った拡大横断面説明図である。
【図２７】図２４に示された嵌合状態からテープ状部材を上方に向かって引くことによってロック部の係合を解除させた状態を表した正面説明図である。
【図２８】図２７中のＸＸＶＩＩＩ−ＸＸＶＩＩＩ線に沿った拡大横断面説明図である。
【図２９】図２７中のＸＸＩＸ−ＸＸＩＸ線に沿った拡大横断面説明図である。
【図３０】本発明の第２の実施形態にかかるプラグコネクタを、図１５〜図１８に示されたレセプタクルコネクタに嵌合させた電気コネクタ装置を正面側の上方から表した外観斜視説明図である。
【図３１】図３０に示された電気コネクタ装置の正面説明図である。
【図３２】図３０及び図３１に示された電気コネクタ装置の側面説明図である。
【図３３】図３０〜図３２に示された電気コネクタ装置に用いられているプラグシェル部材の単体を表した外観斜視説明図である。
【発明を実施するための形態】
【００２２】
以下、信号伝送媒体としての複数本の細線同軸ケーブルを用いたケーブル用電気コネクタ装置に本発明を適用した場合の実施形態に関する説明を図面に基づいて
詳細に行う。
【００２３】
[ケーブル用電気コネクタ装置の全体構造について]
まず、図１〜図２９に示された本発明の第１の実施形態にかかるケーブル用電気コネクタ装置は、細線同軸ケーブル（ケーブル状の信号伝送部材）ＳＣの端末部分が連結された本発明にかかるプラグコネクタ１と、図示を省略した印刷配線基板の主面に実装される相手コネクタとしてのレセプタクルコネクタ２とからなる垂直嵌合型コネクタ装置からなるものである。そして、まず図２１〜図２３に示されているように、印刷配線基板（図示省略）の主面上に実装されたレセプタクルコネクタ（相手コネクタ）２の上方に配置されたプラグコネクタ１が、印刷配線基板（図示省略）の主面と略直交する方向における下方に向かって下降されていき、図２４〜図２６のようにプラグコネクタ１の嵌合凸部１１ａが、レセプタクルコネクタ２の嵌合凹部２１ａ（図２３参照）に差し込まれることによって両コネクタ１，２同士の嵌合が行われる構成になされている。
【００２４】
なお、以下においては、印刷配線基板の主面が「水平方向」に延在しているものとする。また、その印刷配線基板の主面と直交する「高さ方向」において、プラグコネクタ１を差し込む方向を「下方向」、それとは反対に抜き出す方向を「上方向」とする。
【００２５】
上述したプラグコネクタ１及びレセプタクルコネクタ２の全体形状は、平面視において細長状の略長方形状になされており（図２及び図１６参照）、その長手方向に沿って略平行に延在する一対の端縁部のうちの一方側の端縁部（図２の上側端縁部）に、並列するように配列された複数本の細線同軸ケーブルＳＣの端末部分が、上下方向に２段にわたって連結されている（図１９及び図２０参照）。
【００２６】
以下においては、細線同軸ケーブルＳＣの端末部分が延在している方向を「前後方向」とし、当該細線同軸ケーブルＳＣの端末部分が連結される側の長手方向における端縁部を「後端縁部」、それに対向している反対側の他方の長手方向における端縁部を「前端縁部」と呼ぶこととする。さらに、それらプラグコネクタ１の「後端縁部」及び「前端縁部」に対応するレセプタクルコネクタ２の各端縁部についても、同様に「後端縁部」及び「前端縁部」と呼ぶこととし、また、それらの「後端縁部」及び「前端縁部」に各々向かう方向を「後方向」及び「前方向」とする。さらに、プラグコネクタ１及びレセプタクルコネクタ２の長手方向を、単に「長手方向」又は「配列方向」と呼ぶこととする。
【００２７】
[細線同軸ケーブルについて]
上述したように上下方向に２段にわたって設けられた各細線同軸ケーブルＳＣの端末部分には、特に図２３、図２６及び図２９に示されているように、被覆材が皮剥きされることによってケーブル中心導体（信号線）ＳＣａ及びケーブル外部導体（シールド線）ＳＣｂが同軸状をなすように露出されており、当該細線同軸ケーブルＳＣの中心軸線に沿うようにして配置されたケーブル中心導体ＳＣａが、プラグコネクタ１に設けられた後述の各プラグコンタクト１２のそれぞれに半田付けされるようになっている。このプラグコネクタ１に設けられた各プラグコンタクト１２は、レセプタクルコネクタ（相手コネクタ）２に設けられた後述のレセコンタクト２２に接触し、それにより信号回路が構成されるようになっている。
【００２８】
また、各細線同軸ケーブルＳＣのケーブル外部導体ＳＣｂは、ケーブル中心導体ＳＣａと絶縁された状態で外周側を取り囲む状態に配置されており、そのケーブル外部導体ＳＣｂの露出部分を上下に挟む状態で金属製の板状部材からなるグランドバーＧＢが配置されている。それらのグランドバーＧＢは、「配列方向（長手方向）」に沿って長尺状に延在する細長の帯板状の部材から形成されており、半田付けやカシメや圧接等によりケーブル外部導体ＳＣｂに接続された状態で、後述するプラグコネクタ１のプラグシェル１３に接触することによって接地用のグランド回路が構成される。
【００２９】
[ハウジングについて]
一方、上述したプラグコネクタ１及びレセプタクルコネクタ２は、図１及び図１５に示すように、細長板状をなす絶縁性の部材からなるプラグハウジング１１及びレセハウジング２１をそれぞれ備えており、プラグハウジング１１に設けられた嵌合凸部１１ａが、レセハウジング２１に設けられた嵌合凹部２１ａの内部に向かって上方から差し込まれる構成になされている。
【００３０】
上述したプラグハウジング１１の嵌合凸部１１ａは、図２２に示すように、平面状の略矩形状をなす細長板状の基部枠体１１ｂから下方に向かって突出するように設けられている。また、レセハウジング２１の嵌合凹部２１ａは、平面略矩形状に延在する外周立壁部により取り囲まれた空間部分から構成されている。そのレセハウジング２１の嵌合凹部２１ａを構成している空間部分は、上述したプラグハウジング１１の嵌合凸部１１ａより一回り大きな窪み形状を有している。
【００３１】
[コンタクトについて]
また、これらのプラグハウジング１１及びレセハウジング２１には、「長手方向」に沿って多数のプラグコンタクト１２及びレセコンタクト２２が、予め定められた適宜の間隔で配列されている。これらの多数のプラグコンタクト１２及びレセコンタクト２２は、主として信号伝送用のシグナルコンタクトからなるものであり、特に図１、図１５、図２３、図２６及び図２９に示されているように、「前後方向」に対向する２列の電極部を構成する状態に配置されている。なお、これら複数のプラグコンタクト１２及びレセコンタクト２２のうちの一部を、接地用のグランドコンタクト（シールドコンタクト）や電源供給用として使用することも可能である。
【００３２】
このように複数体のプラグコンタクト１２及びレセコンタクト２２は、それぞれ信号回路又はグランド回路を構成するものであるが、プラグハウジング１１及びレセハウジング２１に対しては、例えばインサート成形によって埋設された状態にて配置されている。そして、上述した「前後方向」に対向配置された２列の電極部のうち、前方の電極部を構成しているプラグコンタクト１２に対しては、前述した上下２段の細線同軸ケーブルＳＣのうちの上方に配置された細線同軸ケーブルＳＣのケーブル中心導体ＳＣａが半田付けされるとともに、上下２段の下方に配置された細線同軸ケーブルＳＣのケーブル中心導体ＳＣａは、「前後方向」における後方の電極部を構成しているプラグコンタクト１２に半田付けされる。
【００３３】
そして、プラグコネクタ１における前方の電極部を構成しているプラグコンタクト１２は、図１９〜図２１に示すように、プラグコネクタ１がレセプタクルコネクタ２に嵌合された際に、レセプタクルコネクタ２における前方の電極部を構成しているレセコンタクト２２に接触されるとともに、後方の電極部を構成しているプラグコンタクト１２は、レセプタクルコネクタ２における後方の電極部を構成しているレセコンタクト２２に接触される構成になされている。これら前方に配置されたプラグコンタクト１２同士、及び前方に配置されたレセコンタクト２２同士は、「長手方向」において略同一形状のものが配列されているとともに、後方に配置されたプラグコンタクト１２同士、及び後方に配置されたレセコンタクト２２同士も、「長手方向」において略同一形状のものが配列されている。
【００３４】
このようなプラグコンタクト１２及びレセコンタクト２２の構成を、より具体的に説明すると、図２３、図２６及び図２９に示されているように、まずプラグコンタクト１２は、側面視において略Ｌ字形状を上下に反転させた形状を有しており、略水平方向に延在する導体接続部１２ａを備えているとともに、その導体接続部１２ａの前端部（図２３、図２６及び図２９の左端部）からは、嵌合接続部１２ｂが略直角下方（嵌合方向）に向かって折れ曲がった後に、直線状をなして下方に延出している。
【００３５】
ここで、前方に配置されているプラグコンタクト１２の導体接続部１２ａと、後方に配置されているプラグコンタクト１２の導体接続部１２ａとの間には、前述した上下２段の細線同軸ケーブルＳＣに対応した上下方向（高さ方向）の段差が設けられており、上下２段に配置された各細線同軸ケーブルＳＣのケーブル中心導体ＳＣａが、それぞれに対応した導体接続部１２ａに対して上方側から当接されて半田付けにより接合されるようになっている。このときの複数体のケーブル中心導体ＳＣａとプラグコンタクト１２との半田接合は、「長手方向（配列方向）」において一括的に行うことが可能である。
【００３６】
また、上述したプラグコンタクト１２の嵌合接続部１２ｂには、上下方向（高さ方向）の途中位置に信号接点が設けられており、プラグコネクタ１がレセプタクルコネクタ２に嵌合されたときに、当該プラグコンタクト１２の信号接点が、後述するレセプタクルコネクタ２のレセコンタクト２２に設けられた信号接点凸部２２ｃに接触し、それらの両接点部の接触によって信号回路が構成されるようになっている。
【００３７】
一方、レセプタクルコネクタ２に設けられたレセコンタクト２２は、側面視において側面略Ｌ字形状を有しており、上述したプラグコンタクト１２が接触可能となるように「前後方向」に対向する２列の電極部を構成する状態に対称的な配置関係になされている。そのうち、前方の電極部を構成しているレセコンタクト２２に対しては、プラグコネクタ１がレセプタクルコネクタ２に嵌合された際に、上述したプラグコネクタ１における前方のプラグコネクタ１２が接触されるとともに、後方のレセコンタクト２２に対しては、プラグコネクタ１における後方のプラグコネクタ１２が接触されるようになっている。
【００３８】
このようなレセコンタクト２２は、「前後方向」の内方（コネクタ内方）部分において上下方向（高さ方向）に延在する弾性接続部２２ａを有しているとともに、その弾性接続部２２ａの下端部から「前後方向」の外方（コネクタ外方）に向かって突出する基板接続部２２ｂが略水平方向に延びている。この基板接続部２２ｂは、印刷配線基板の主面上に設けられた信号導電路（図示省略）に対して半田付けで接合され、それによって電気的な接続が行われることで信号回路が構成されるようになっている。
【００３９】
これに対して弾性接続部２２ａは、上述した基板接続部２２ｂにおける「前後方向」の内方（コネクタ内方）の端部から、レセハウジング２１における「前後方向」の略中央部分に配置された立壁部の表面に沿って上方に延びている。そして、当該弾性接続部２２ａの上端部分は、「前後方向」の外方（コネクタ外方）に向かって張り出す状態に逆Ｕ字形状に折り返されており、その折り返し部分の下方位置に信号接点凸部２２ｃが設けられている。この信号接点凸部２２ｃは、プラグコネクタ１がレセプタクルコネクタ２に嵌合されたときに、前述したプラグコンタクト１２に設けられた信号接点部に対して、「前後方向」の内方（コネクタ内方）から弾性的に圧接された状態で接続され、それにより信号回路が構成されるようになっている。
【００４０】
[プラグシェルについて]
一方、前述したプラグコネクタ１のプラグハウジング１１の一部を構成している基部枠体１１ｂには、図１に示すように、金属等の薄板状の導体からなるプラグシェル部材１３が、基部枠体１１ｂの上表面における「長手方向（配列方向）」の両端部分を除く領域を上方から覆う状態に装着されている。このプラグシェル部材１３は、「前後方向」の前方領域を覆う前方プラグシェル１３Ａと、基部枠体１１ｂの上表面における「前後方向」の後方領域を覆う後方プラグシェル１３Ｂとを、「前後方向」に対面する状態で備えている。これらの前方プラグシェル１３Ａと後方プラグシェル１３Ｂとは、基部枠体１１ｂの上表面における「前後方向」の中央領域を覆う中央連結板１３Ｃによって一体的に繋がれている。
【００４１】
このように、前方プラグシェル１３Ａ及び後方プラグシェル１３Ｂは、「前後方向」において中央連結板１３Ｃを挟んだ両側に配置されており、各々が「長手方向（配列方向）」に細長状に延在しているとともに、これらの前方プラグシェル１３Ａと後方プラグシェル１３Ｂとを繋ぐ中央連結板１３Ｃも、同じく「長手方向（配列方向）」に細長状に延在している。この中央連結板１３Ｃには、細長状の補強凸部１３Ｃ１が細長状に設けられている。
【００４２】
このようにプラグコネクタ１に設けられたプラグシェル部材１３の前方プラグシェル１３Ａ及び後方プラグシェル１３Ｂは、グランド回路の一部を構成するものであって、前述した細線同軸ケーブルＳＣに半田接合されたグランドバー（グランド部材）ＧＢに接触した状態に配置されており、それによってグランド接続されるようになっている。
【００４３】
また、上述したように前方プラグシェル１３Ａ及び後方プラグシェル１３Ｂは、中央連結板１３Ｃを「前後方向」に挟んだ両側に対面する状態に配置されているが、そのうちの前方に配置された前方プラグシェル１３Ａの前方の端縁部分は、プラグハウジング１１の基部枠体１１ｂの前端面に沿って下方に折り曲げられている。そして、その前方プラグシェル１３Ａの下方折り曲げ部分に、「長手方向（配列方向）」に沿って複数体（３体）の係止穴１３Ａ１が一定の間隔をなして貫通形成されており、それらの各係止穴１３Ａ１が、プラグハウジング１１の基部枠体１１ｂの前端面に設けられた突起部に弾性的に係合されることによって、プラグシェル１３の全体が固定状態になされている。
【００４４】
さらに、上述した前方プラグシェル１３Ａと後方プラグシェル１３Ｂとを一体的に繋いでいる中央連結板１３Ｃの「長手方向（配列方向）」の両端部分には、一対の固定片１３Ｃ２，１３Ｃ２が、同方向における外方に向かって突出するように設けられている。これらの各固定片１３Ｃ２は、中央連結板１３Ｃの「長手方向（配列方向）」の両端部分において下方に折り曲げ形成されており、図６に示すように、それらの各固定片１３Ｃ２に貫通形成された係止穴１３Ｃ３が、プラグハウジング１１の「長手方向」における両側部分に設けられた突起部に対して弾性的に係合され、それによってプラグシェル１３の全体が固定状態になされている。
【００４５】
また、このようなプラグシェル部材１３を構成している前方プラグシェル１３Ａ及び後方プラグシェル１３Ｂにおける「長手方向（配列方向）」の両端部分には、プラグコネクタ１とレセプタクルコネクタ（相手コネクタ）２との嵌合状態を維持または解除するロック機構１４がそれぞれ一体的に設けられている。前方プラグシェル１３Ａに設けられたロック機構１４と、後方プラグシェル１３Ｂに設けられたロック機構１４とは、「前後方向」において互いに対称的に対向する状態でハウジング１１に装着されている。
【００４６】
各ロック機構１４は、前方プラグシェル１３Ａ及び後方プラグシェル１３Ｂにおける「長手方向（配列方向）」の端部から下方に垂れ下がるように延出する帯板状部材からなる弾性アーム状部材１４ａを有している。これらの各弾性アーム状部材１４ａにおける下方延出部分の途中位置には、略矩形状の貫通穴からなるロック部１４ｂが設けられている。このロック部１４ｂは、嵌合されたレセプタクルコネクタ（相手コネクタ）２の一部に係合して当該レセプタクルコネクタ２を嵌合方向及び抜去方向に略不動状態に維持するものである。
【００４７】
また、上述した各弾性アーム状部材１４ａにおけるロック部１４ｂから上方に向かって延在している板状部分は、解除操作を行うためのロック解除部１４ｃになされている。このロック解除部１４ｃは、レセプタクルコネクタ（相手コネクタ）２に対するロック部１４ｂの係合状態を、解除操作が行われた際に解除してレセプタクルコネクタ２を抜去可能とするものであるが、これらのロック部１４ｂ及びロック解除部１４ｃの具体的な構成については後段において詳細に説明する。
【００４８】
[レセシェルについて]
これに対して、レセプタクルコネクタ２の外方部分を構成するように装着された金属の板状部材からなるレセシェル２３も、グランド回路の一部を構成するものであるが、特に図１５〜図１８に示されているように、レセハウジング２１の外周表面を覆う細長の枠状体から構成されている。すなわち、このレセシェル２３は、レセハウジング２１の外周表面のうちの前端面（図２３、図２６及び図２９の左端面）及び後端面（図２３、図２６及び図２９の右端面）をそれぞれ覆う前部外周壁板２３ａ及び後部外周壁板２３ｂを有しているとともに、レセハウジング２１の外周表面のうちの「長手方向（配列方向）」の両端面（図１６の両側端面）をそれぞれ覆う一対の側部外周壁板２３ｃ，２３ｃを有している。
【００４９】
このようなレセプタクルコネクタ２のレセシェル２３における前後の壁部分を構成している前部外周壁板２３ａ及び後部外周壁板２３ｂは、上下方向（高さ方向）に延在した状態で「長手方向（配列方向）」に細長状に延びているが、当該前部外周壁板２３ａ及び後部外周壁板２３ｂにおける「長手方向（配列方向）」の両端部分には、印刷配線基板の主面の位置まで延びた後に略水平に延出する一対の基板接続部２３ｆ，２３ｆが設けられている。これらの各基板接続部２３ｆは、印刷配線基板の主面上に形成された接地用導電路（図示省略）に対して半田付けで接合され、それによってシールド回路が構成されるようになっている。
【００５０】
さらに、上述した前部外周壁板２３ａ及び後部外周壁板２３ｂの各上端縁には、前述した嵌合凹部２１ａに向かう方向であるコネクタ内方に向かって側面略逆Ｕ字状に折れ曲がって下方に延出する前部内周壁板２３ｄ及び後部内周壁板２３ｅが一体的に設けられている。これらのレセプタクルコネクタ（相手コネクタ）２に設けられた前部内周壁板２３ｄ及び後部内周壁板２３ｅは、プラグコネクタ１がレセプタクルコネクタ２に嵌合されたときに、前述したプラグシェル部材１３に接触し、それによってグランド回路の一部が構成されるようになっている。
【００５１】
さらに、上述したレセシェル２３の前部内周壁板２３ｄ及び後部内周壁板２３ｅにおける「長手方向（配列方向）」の両端部分には、嵌合凹部２１ａに向かう方向であるコネクタ内方に向かって突出する一対のロック爪２３ｉ，２３ｉが設けられている。それらの各ロック爪２３ｉは、片持ちの板バネ状をなすように、上述した前部内周壁板２３ｄ及び後部内周壁板２３ｅに対して傾斜方向に切り起こされた状態に延出している。そして、それらの各ロック爪２３ｉに対しては、プラグコネクタ１がレセプタクルコネクタ（相手コネクタ）２に嵌合されたときに、プラグコネクタ１に設けられたロック部１４ｂ（図１３参照）が係合状態となり、それによってレセプタクルコネクタ２の嵌合状態が維持されるようになっている。
【００５２】
［ロック機構について］
前述したようにプラグコネクタ１のプラグシェル部材１３を構成している前方プラグシェル１３Ａ及び後方プラグシェル１３Ｂには、図７に示すように、「長手方向（配列方向）」における両端部分に一対の帯板状部材からなる弾性アーム状部材１４ａ，１４ａが一体的に設けられている。これらの各弾性アーム状部材１４ａは、側面略Ｕ字形状をなしており、前方プラグシェル１３Ａ及び後方プラグシェル１３Ｂから下方に向かって延出した後に、「前後方向」の内方（コネクタ内方）に向かって折り曲げられた後に上方に折り返されている。その弾性アーム状部材１４ａにおける内側上方への折り返し部分は、プラグハウジング１１における「前後方向」の略中央部分に配置された立壁部の表面に沿って上方に延出しており、当該弾性アーム状部材１４ａの上端部分が、前述した中央連結板１３Ｃに対して一体的に繋げられている。
【００５３】
このように側面略Ｕ字形状をなす各弾性アーム状部材１４ａは、「前後方向」、すなわちリセプタクルコネクタ（相手コネクタ）２に対する嵌合方向（下方向）と直交する方向に弾性的に変位する構成になされているが、上述したように中央連結板１３Ｃから下方に垂下している部分、すなわちハウジング１１の内方（コネクタ中心方向）部分が、ハウジング１１の立壁面に沿って「上下方向」に延在していることにより固定状態になされている一方、当該弾性アーム状部材１４ａにおける「前後方向」の外方、すなわちハウジング１１の外方（コネクタ外方）に向かって張り出している部分が、ハウジング１１の内方又は外方に向かう方向（コネクタ内外方向）に弾性的に変位する構成になされている。
【００５４】
そして、その弾性アーム状部材１４ａの弾性変位部分であるハウジング１１の外方（コネクタ外方）に向かって張り出している部分には、上述した下端の折り返し部分と、前方プラグシェル１３Ａ及び後方プラグシェル１３Ｂに繋げられた上端位置との間に、貫通穴からなるロック部１４ｂが設けられている。このロック部１４ｂは、プラグコネクタ１がレセプタクルコネクタ（相手コネクタ）２に嵌合されたときに、レセプタクルコネクタ２の一部、より具体的には上述したロック爪２３ｉ（図１６参照）に係合状態になされることで、レセプタクルコネクタ２を嵌合方向及び抜去方向に略不動状態に維持する構成になされている。
【００５５】
また、その弾性アーム状部材１４ａの弾性変位部分のうち、上述したロック部１４ｂから上方に延出している部分、すなわち上述した前方プラグシェル１３Ａ及び後方プラグシェル１３Ｂから下方に延出している部分は、レセプタクルコネクタ（相手コネクタ）２に対する嵌合解除操作を行うためのロック解除部１４ｃになされている。このロック解除部１４ｃは、「前後方向」の内方、つまりハウジング１１の内方（コネクタ内方）に向かって押し込まれるように弾性変位されることで解除操作が行われる。
【００５６】
従って、前述したように「前後方向」に対向して配置された一対のロック解除部１４ｃ，１４ｃを互いに近付ける方向に弾性変位させる解除操作が行われることによって、同じく「前後方向」に対向配置された一対のロック部１４ｂ，１４ｂが、同方向に変位することとなり、レセプタクルコネクタ（相手コネクタ）２のロック爪２３ｉ，２３ｉからハウジング１１の内方（コネクタ中心方向）に向かって離間する。その結果、ロック爪２３ｉ，２３ｉに対するロック部１４ｂ，１４ｂの係合状態が解除され、レセプタクルコネクタ２が抜去可能な状態になされる。
【００５７】
ここで、各弾性アーム状部材１４ａには、レセプタクルコネクタ（相手コネクタ）２に対する嵌合方向である下方に向かって、上述したロック解除部１４ｃ及びロック部１４ｂが順に配置されているが、そのうちのロック部１４ｂから嵌合方向（下方向）に向かって延出している下方部分は、嵌合方向（下方向）に向かうに連れて、「前後方向」の内方、すなわちハウジング１１の内方（コネクタ中心方向）に向かうように傾斜しており、嵌合方向（下方向）に行くに従って内方に位置する配置になされている。
【００５８】
また、上述したようにプラグシェル部材１３の前方プラグシェル１３Ａ及び後方プラグシェル１３Ｂには、「長手方向（配列方向）」の両端部分に一対のロック解除部１４ｃ，１４ｃを備えているが、これら一対のロック解除部１４ｃ，１４ｃ同士は、「長手方向（配列方向）」に延在するロック連結部１４ｄによって一体的に繋げられている。このロック連結部１４ｄも、プラグシェル部材１３の一部をなすものであって、前方プラグシェル１３Ａ及び後方プラグシェル１３Ｂの上方位置に延在する配置になされている。
【００５９】
このロック連結部１４ｄと、前方プラグシェル１３Ａ及び後方プラグシェル１３Ｂとの間には、「上下方向」における隙間が「長手方向（配列方向）」に細長状に延びる状態で形成されており、図１１に示すように、当該細長状の隙間内にロック連結部１４ｄを操作するためのテープ状部材１５が相通されている。
【００６０】
このテープ状部材１５は、いわゆるプルテープと呼ばれるものであって、上述した前方プラグシェル１３Ａ及び後方プラグシェル１３Ｂと、一対のロック連結部１４ｄ，１４ｄとの間に設けられた隙間を略水平に通過する状態に延在しているとともに、その略水平に延在している部分における「前後方向」の両端部分が、ロック連結部１４ｄ，１４ｄの外表面に巻き付くように湾曲して上方に延びている。そして、ロック連結部１４ｄ，１４ｄの外表面から斜め上方に向かって延出している両側のテープ状部材１５は、互いに合流して密着状態になされている。
【００６１】
このようなテープ状部材１５の一部を把持して上方に引き上げる操作を行えば、図１３に示すように、「前後方向」の両側に対向配置された一対のロック解除部１４ｃ，１４ｃが互いに近付く方向の作用力を受けることとなる。従って、このテープ状部材１５に対する引き上げ操作によって、弾性アーム状部材１４ｂ，１４ｂが「前後方向」における内方、すなわちハウジング１１の内方（コネクタ中心方向）に向かって、互いに近付く状態に弾性的に変位し、それに伴ってロック部１４ｂ，１４ｂも、ハウジング１１の内方（コネクタ中心方向）に向かって変位することとなる。その結果、図２７及び図２８に示すように、レセプタクルコネクタ（相手コネクタ）２のロック爪２３ｉ，２３ｉから、ロック部１４ｂ，１４ｂがハウジング１１の内方（コネクタ中心方向）に向かって離間していき、当該ロック爪２３ｉ，２３ｉに対するロック部１４ｂ，１４ｂの係合状態が解除されて、レセプタクルコネクタ２が抜去可能な状態になされる。
【００６２】
このような構成を有する本実施形態によれば、従来、プラグシェル部材１３とは別部材で設けられていたロック部１４ｂ及びロック解除部１４ｃが、プラグシェル部材１３と一体的に設けられることとなり、部品点数及び製造工程数が低減されることによって生産性の向上を図ることが可能である。また、解除操作が行われるロック解除部１４ｃがプラグシェル部材１３に設けられているので、ロック解除部１４ｃに対する解除操作と、相手コネクタであるレセプタクルコネクタ２に対する抜去操作とを片手で行うことが可能となり、いわゆる片手によるワンアクションの抜去操作を容易に行うことが可能である。
【００６３】
さらに、本実施形態における弾性アーム状部材１４ａは、ロック解除部１４ｃに対する解除操作によってロック部１４ｂをハウジング１１の内方（コネクタ中心方向）に向かって弾性変位させる状態に配置されていることから、ロック解除部１４ｃの解除操作によってロック部１４ｂの解除を行う際に、ロック部１４ｂを含む弾性アーム状部材１４ａがハウジング１１の外方に向かって張り出すことがなく、電気コネクタ装置の全体が実質的に小型化される。
【００６４】
さらにまた、本実施形態においては、弾性アーム状部材１４ａの下端部分が、嵌合方向（下方向）に向かうに連れて、ロック部１４ｂからハウジング１１の内方（コネクタ中心方向）に向かって近づくように傾斜していることから、レセプタクルコネクタ（相手コネクタ）２に対する嵌合・抜去を行う際に、弾性アーム状部材１４ａの一部が、レセプタクルコネクタ２の一部であるロック爪２３ｉに引っ掛かることがなくなり、嵌合・抜去の各操作が安定的に行われる。
【００６５】
加えて、本実施形態においては、ハウジング１１における「長手方向（配列方向）」の両側部分に対向配置された一対のロック解除部１４ｃ，１４ｃ同士が、プラグシェル部材１３の一部をなすロック連結部１４ｄによって一体的に繋げられていることから、当該ロック連結部１４ｄに対して操作力を付与することによって、一対のロック解除部１４ｃ，１４ｃに対する解除操作が同時に行われることとなり、ロック解除の操作性が向上される。
【００６６】
さらに、本実施形態においては、ロック連結部１４ｄに、当該ロック連結部１４ｄを操作するためのテープ状部材１５が繋げられていることから、テープ状部材１５に対する操作を行うことによって、ロック解除部１４ｃに対する解除操作が行われることとなり、ロック解除の操作性が更に向上される。
【００６７】
一方、上述した第１の実施形態にかかるプラグコネクタ１を構成している各部材に付与している符号の十の位の「１」を「３」に変更して表した図３０〜図３３に示した本発明の第２の実施形態にかかるプラグコネクタ３は、第１の実施形態と同様なレセプタクルコネクタ２に対して嵌合・抜去される構成を備えているものであるが、第１の実施形態におけるテープ状部材１５を使用しないものであり、その替わりにロック連結部３４ｄを上方に向かって延出させたものである。
【００６８】
すなわち、本実施形態においては、前方プラグシェル３３Ａ及び後方プラグシェル３３Ｂの各々に設けられた一対のロック解除部３４ｃ，３４ｃ同士が、「長手方向（配列方向）」に延在する一対のロック連結部３４ｄ，３４ｄによって一体的に繋げられている。これらのロック連結部３４ｄ，３４ｄは、「前後方向」に対称的に配置されているが、上方に向かって互いに近付く方向に傾斜した状態で上方に突出している。そして、これらのロック連結部３４ｄ，３４ｄにおける上方延出部分が、互いに合流して密着状態になされている。
【００６９】
また、それらロック連結部３４ｄ，３４ｄの上端縁部には、「前後方向」の外方に向かって張り出す形状に折り曲げられた取手部３４ｄ１，３４ｄ１が設けられており、その取手部３４ｄ１，３４ｄ１を把持して上方に引き上げる操作を行うことで、「前後方向」の両側に対向配置された一対のロック解除部３４ｃ，３４ｃが、互いに近付く方向の作用力を受ける。これによって弾性アーム状部材３４ａ，３４ａが、レセプタクルコネクタ（相手コネクタ）２に対する嵌合方向（下方向）と直交する「前後方向」において、ハウジング１１の内方に向かう方向（コネクタ中心方向）に弾性的に変位し、それに伴ってロック部３４ｂ，３４ｂも、ハウジング１１の内方（コネクタ中心方向）に向かって変位する。その結果、レセプタクルコネクタ（相手コネクタ）２のロック爪２３ｉ，２３ｉからロック部３４ｂ，３４ｂがハウジング１１の内方に向かって離間し、ロック爪２３ｉ，２３ｉに対するロック部３４ｂ，３４ｂの係合状態が解除されてレセプタクルコネクタ２が抜去可能な状態になされる。
【００７０】
以上、本実施形態によってなされた発明を実施形態に基づき具体的に説明したが、本実施形態は上述した実施形態に限定されるものではなく、その要旨を逸脱しない範囲で種々変形可能であるというのはいうまでもない。
【００７１】
例えば、上述した各実施形態においては、ロック部１４ｂ，３４ｂが、レセプタクルコネクタ（相手コネクタ）２の一部であるロック爪２３ｉに係合可能な貫通孔から形成されているが、弾性アーム状部材１４ａ，３４ａを貫通しない凹部から形成しても良いし、また弾性アーム状部材１４ａ，３４ａから突出する突部から構成することも可能である。なお、ロック部１４ｂ，３４ｂを突部から構成する場合には、レセプタクルコネクタ（相手コネクタ）２の一部に凹部を設けることとなる。
【００７２】
また、上述した実施形態では、垂直嵌合型の電気コネクタに本実施形態を適用したものであるが、水平嵌合型の電気コネクタに対しても同様に適用することができる。
【００７３】
さらにまた本実施形態は、上述した各実施形態のような細線同軸ケーブル用コネクタ装置に限定されることはなく、細線同軸ケーブルと絶縁ケーブルとが複数混合したタイプの電気コネクタ装置等についても同様に適用することが可能である。
【産業上の利用可能性】
【００７４】
以上のように本実施形態は、各種電気機器に使用される多種多様なケーブル用電気コネクタ装置に対して広く適用することが可能である。
【符号の説明】
【００７５】
１  プラグコネクタ
１１  プラグハウジング
１１ａ  嵌合凸部
１１ｂ  基部枠体
１２  プラグコンタクト
１２ａ  導体接続部
１２ｂ  嵌合接続部
１３  プラグシェル部材
１３Ａ  前方プラグシェル
１３Ａ１  係止穴
１３Ｂ  後方プラグシェル
１３Ｃ  中央連結板
１３Ｃ１  補強凸部
１３Ｃ２  固定片
１３Ｃ３  係止穴
１４  ロック機構
１４ａ  弾性アーム状部材
１４ｂ  ロック部
１４ｃ  ロック解除部
１４ｄ  ロック連結部
２  レセプタクルコネクタ
２１  レセハウジング
２１ａ  嵌合凹部
２２  レセコンタクト
２２ａ  弾性接続部
２２ｂ  基板接続部
２２ｃ  信号接点凸部
２３  レセシェル
２３ａ  前部外周壁板
２３ｂ  後部外周壁板
２３ｃ  側部外周壁板
２３ｄ  前部内周壁板
２３ｅ  後部内周壁板
２３ｆ  基板接続部
２３ｉ  ロック爪
ＳＣ  細線同軸ケーブル（信号伝送媒体）
ＳＣａ  ケーブル中心導体
ＳＣｂ  ケーブル外部導体（シールド線）
ＧＢ  グランドバー（グランド部材）
３  プラグコネクタ
３１  プラグハウジング
３１ａ  嵌合凸部
３１ｂ  基部枠体
３２  プラグコンタクト
３２ａ  導体接続部
３２ｂ  嵌合接続部
３３  プラグシェル部材
３３Ａ  前方プラグシェル
３３Ｂ  後方プラグシェル
３３Ｂ１  係止穴
３３Ｃ  中央連結板
３３Ｃ１  固定片
３３Ｃ２  係止穴
３４  ロック機構
３４ａ  弾性アーム状部材
３４ｂ  ロック部
３４ｃ  ロック解除部
３４ｃ１  取手部
３４ｄ  ロック連結部
【図１】
2019009029.tif 000003
【図２】
2019009029.tif 000004
【図３】
2019009029.tif 000005
【図４】
2019009029.tif 000006
【図５】
2019009029.tif 000007
【図６】
2019009029.tif 000008
【図７】
2019009029.tif 000009
【図８】
2019009029.tif 000010
【図９】
2019009029.tif 000011
【図１０】
2019009029.tif 000012
【図１１】
2019009029.tif 000013
【図１２】
2019009029.tif 000014
【図１３】
2019009029.tif 000015
【図１４】
2019009029.tif 000016
【図１５】
2019009029.tif 000017
【図１６】
2019009029.tif 000018
【図１７】
2019009029.tif 000019
【図１８】
2019009029.tif 000020
【図１９】
2019009029.tif 000021
【図２０】
2019009029.tif 000022
【図２１】
2019009029.tif 000023
【図２２】
2019009029.tif 000024
【図２３】
2019009029.tif 000025
【図２４】
2019009029.tif 000026
【図２５】
2019009029.tif 000027
【図２６】
2019009029.tif 000028
【図２７】
2019009029.tif 000029
【図２８】
2019009029.tif 000030
【図２９】
2019009029.tif 000031
【図３０】
2019009029.tif 000032
【図３１】
2019009029.tif 000033
【図３２】
2019009029.tif 000034
【図３３】
2019009029.tif 000035